(57)【要約】  【課題】  挿入されたカードが排出できなくなる事態を簡易な構造にて防止することのできるディスクプレイヤを提供することである。  【解決手段】  ディスクを搬送するローラと、第１の直径となるディスクＤＫ8の外周縁が一対の第１係止部３２ａ、３２ｂに当接したときにディスクＤＫ８をセット位置に位置決めする位置決め部材３０とを有するディスクプレイヤであって、位置決め部材３０における第１係止部３２ａ、３２ｂの間隔Ｌ１が、前記第１の直径より短い短辺と前記第１の直径より長い長辺とを有するカード２００の前記短辺の長さａ以下に設定され、位置決め部材３０は、ローラ１０の回転軸ＳＬまでの距離Ｌ２がカード２００の短辺の長さａ以下となると共に、相互の間隔Ｌ３が前記カードの長辺の長さｂより大きくならず、ディスクＤＫ８の移動を妨げない位置に一対の第２係止部（３３ａ、３３ｂ）を有する構成となる。【選択図】  図９
2007080376.tif 000002
【特許請求の範囲】
【請求項１】
挿入口から挿入されるディスク状記録媒体をセット位置に向けて、また、該セット位置にあるディスク状記録媒体を前記挿入口に向けて搬送するローラと、
前記ローラにてセット位置に向けて搬送される前記ディスク状記録媒体の外周縁が当接可能となる一対の第１係止部を有し、第１の直径となるディスク状記録媒体の外周縁が前記一対の第１係止部に当接したときに該第１の直径となるディスク状記録媒体を前記セット位置に位置決めする位置決め部材とを有し、
前記セット位置に位置決めされたディスク状記録媒体を駆動して該ディスク状記録媒体から情報の再生を行なうディスクプレイヤであって、
前記位置決め部材における前記一対の第１係止部の間隔が、前記第１の直径より短い短辺と前記第１の直径より長い長辺とを有する所定矩形状のカードの前記短辺の長さ以下に設定され、
前記位置決め部材は、前記ディスク状記録媒体の搬送方向における該ローラの回転軸までの距離が前記カードの短辺の長さ以下となると共に、相互の間隔が前記カードの長辺の長さより大きくならず、前記第１の直径となる前記ディスク状記録媒体の移動を妨げない位置に一対の第２係止部を有することを特徴とするディスクプレイヤ。
【請求項２】
前記一対の第１係止部と前記一対の第２係止部とは、前記第１の直径より大きい直径の円弧上に位置することを特徴とする請求項１記載のディスクプレイヤ。
【請求項３】
前記一対の第２係止部のそれぞれは、前記一対の第１係止部の一方から前記円弧状に延びる壁部材の先端部であることを特徴とする請求項２記載のディスクプレイヤ。
【請求項４】
前記位置決め部材は、ディスク状記録媒体の移動方向に移動可能となり、
前記位置決め部材を、前記第１の直径となるディスク状記録媒体を前記セット位置に位置決めすべき位置にロックするロック機構と、
前記カードの長辺より長い第２の直径となるディスク状記録媒体が挿入されたときに前記ロック機構による前記位置決め部材のロックを解除するロック解除機構とを有し、
挿入される前記第２の直径となるディスク状記録媒体の外周縁が前記一対の第１係止部に当接しつつ前記位置決め部材が移動して前記第２の直径となるディスク状記録媒体を前記セット位置に位置決めするものであって、
前記一対の第１係止部と前記一対の第２係止部とは、前記第２の直径より大きい直径の円弧上に位置することを特徴とする請求項１乃至３のいずれかに記載のディスクプレイヤ。
【請求項５】
前記一対の第２係止部のそれぞれは、前記一対の第１係止部の一方から前記円弧状に延びる壁部材の先端部となることを特徴とする請求項４記載のディスクプレイヤ。
【発明の詳細な説明】
【技術分野】
【０００１】
本発明は、ＣＤ（Compact Disk）、ＤＶＤ（Digital Versatile Disk）等のディスク状記録媒体から情報を読み出して再生するディスクプレイヤに関する。
【背景技術】
【０００２】
例えば、車載用のナビゲーション装置やオーディオ装置に搭載されるディスクプレイヤでは、挿入口から挿入されたＣＤ（Compact Disk）やＤＶＤ（Digital Versatile Disk）等のディスク状記録媒体がローラにて搬送され、所定のセット位置（クランプ位置）にセットされ、そのセットされたディスク状記録媒体（以下、単にディスクという）から情報が読み出されて再生される。この種のディスクプレイヤにおいて、従来、搬送されるディスクの外周縁が当接可能となる一対の係止部を有する位置決め部材が設けられたものが提案されている（例えば、特許文献１参照）。このディスクプレイヤでは、ローラによって搬送されるディスクの外周縁が位置決め部材の一対の係止部に当接することにより当該ディスクの芯だしがなされ、中心がターンテーブルの中心に位置するセット位置にそのディスクが位置決めされる。
【０００３】
更に、前述した従来のディスクプレイヤは、大きさの異なる２種類のディスク（例えば、直径８cmと直径１２cmのディスク）の再生を可能にするために、前記位置決め部材をディスクの搬送方向に移動可能とし、前記位置決め部材を小さい直径（例えば、８cm）のディスクを前記セット位置に位置決めすべき位置にロックするロック機構と、大きい直径（例えば、１２cm）のディスクが挿入されたときに前記ロック機構による位置決め部材のロックを解除するロック解除機構とを備えている。そして、ローラにより搬送される大きい直径のディスクが前記一対の係止部に当接してその芯だしがなされつつ前記位置決め部材が移動して前記大きい直径のディスクを前記セット位置に位置決めするようになっている。
【０００４】
前述したようなディスクプレイヤでは、ローラにて搬送されて位置決め部材によってセット位置に位置決めされたディスクの再生が終了した後に当該ディスクを前記ローラの逆回転により排出させなければならないことから、ディスクの搬送方向における前記ローラの位置と前記位置決め部材（前記セット位置）との相対的な位置関係は、ディスク（小さい直径のディスク）が位置決め部材によって前記セット位置に位置決めされた際に、そのディスクの一部がローラにかかっているものでなければならない。なお、ディスクがセット位置に位置決めされた後に、前記ローラは、ディスクの駆動の妨げにならないように待避されるようになっている。
【０００５】
ところで、近年、クレジットカード（磁気カード）をはじめ、メモリカード、ＩＣカード、ＥＴＣカード等のように機器にセットして使用するもの等、個人が所有するカードの種類及び数が増大している。このような状況において、カードを誤ってディスクプレイヤに挿入してしまうおそれがある。前述したように搬送用のローラの位置決め部材（セット位置）との相対的な位置がディスクの大きさに依存するように決められているディスクプレイヤに一般的にディスク（例えば、直径８cm）より小さいカードを挿入してしまうと、そのカードが前記位置決め部材に達する前にローラから外れてしまう場合がある。すると、ローラを逆回転させてもカードを排出することができなくなってしまう。
【０００６】
このような事態を防止するために、ディスク以外の異物の挿入を防止するようにしたディスクプレイヤ（記録再生装置）が提案されている（例えば、特許文献２参照）。このディスクプレイヤでは、ローラの手前に正規の大きさのディスクによって左右方向に押し広げられる第１のゲートが配置され、前記ローラの背後に物体の通過を遮断する第２のゲートが配置されている。そして、第１のゲートが押し広げられたときに第２のゲートが物体の通過を遮断する位置から待避するようになっている。このようなディスクプレイヤによれば、正規の大きさのディスクが挿入された場合、第１のゲートが押し広げられ、それに応じて第２のゲートが物体の通過を遮断する位置から待避されるので、そのディスクは、ローラによってセット位置に向けて搬送される。一方、カードに限らず正規の大きさのディスクより小さい物体が挿入されたときには、第２のゲートが物体の通過を遮断する位置に維持されることから、その物体がローラを越えて内部に搬送されることを確実に防止することができる。
【特許文献１】特開２０００−６７４９６号公報
【特許文献２】特開２００４−３４８８５５号公報
【発明の開示】
【発明が解決しようとする課題】
【０００７】
しかしながら、前述した従来のディスクプレイヤ（特許文献２参照）では、ローラの前後に協働する仕組みとなる２つのゲート機構を設けなければならず、その構造が複雑となる。
【０００８】
本発明は、挿入されたカードが排出できなくなる事態を簡易な構造にて防止することのできるディスクプレイヤを提供するものである。
【課題を解決するための手段】
【０００９】
本発明に係るディスクプレイヤは、挿入口から挿入されるディスク状記録媒体をセット位置に向けて、また、該セット位置にあるディスク状記録媒体を前記挿入口に向けて搬送するローラと、前記ローラにてセット位置に向けて搬送される前記ディスク状記録媒体の外周縁が当接可能となる一対の第１係止部を有し、第１の直径となるディスク状記録媒体の外周縁が前記一対の第１係止部に当接したときに該第１の直径となるディスク状記録媒体を前記セット位置に位置決めする位置決め部材とを有し、前記セット位置に位置決めされたディスク状記録媒体を駆動して該ディスク状記録媒体から情報の再生を行なうディスクプレイヤであって、前記位置決め部材における前記一対の第１係止部の間隔が、前記第１の直径より短い短辺と前記第１の直径より長い長辺とを有する所定矩形状のカードの前記短辺の長さ以下に設定され、前記位置決め部材は、前記ディスク状記録媒体の搬送方向における該ローラの回転軸までの距離が前記カードの短辺の長さ以下となると共に、相互の間隔が前記カードの長辺の長さより大きくならず、前記第１の直径となる前記ディスク状記録媒体の移動を妨げない位置に一対の第２係止部を有する構成となる。
【００１０】
このような構成により、第１の直径となるディスク状記録媒体の外周縁が位置決め部材の一対の第１係止部に当接してセット位置に位置決めされたときに当該ディスク状記録媒体がローラから外れないことを前提とすると、カードの長辺は第１の直径より長いので、その短辺側から挿入されたカードは、ローラから外れる前に前記位置決め部材の一対の第１係止部に達し得る。そして、その一対の第１係止部の間隔が前記カードの短辺の長さ以下となっているので、前記カードは、前記ローラから外れることなく位置決め部材の一対の第１係止部に突き当たり得る。
【００１１】
また、ディスク状記録媒体の搬送方向においてローラの回転軸から位置決め部材の一対の第２係止部までの距離がカードの短辺の長さ以下となっているので、その長辺側から挿入されたカードは、ローラから外れる前に前記位置決め部材の一対の第２係止部に達し得る。そして、その一対の第２係止部の間隔が前記カードの長辺の長さより大きくなっていないので、前記カードは、前記ローラから外れることなく位置決め部材の一対の第２係止部に突き当たり得る。
【００１２】
前記一対の第２係止部が第１の直径となるディスク記録媒体の移動を妨げない位置にあるので、第１の直径となるディスク記録媒体が挿入された際に、その外周縁が前記一対の第２係止部に妨げられることなく位置決め部材の一対の第１係止部に当接して当該ディスク記録媒体はセット位置に位置決めされ得る。
【００１３】
また、本発明に係るディスクプレイヤにおいて、前記一対の第１係止部と前記一対の第２係止部とは、前記第１の直径より大きい直径の円弧上に位置する構成とすることができる。
【００１４】
このような構成により、第１の直径となるディスク状記録媒体が挿入されたときに、そのディスク状記録媒体は、その外周部が一対の第２係止部に突き当たることなく一対の第１係止部に当接し、セット位置に位置決めされ得る。
【００１５】
また、本発明に係るディスクプレイヤにおいて、前記一対の第２係止部のそれぞれは、前記一対の第１係止部の一方から前記円弧状に延びる壁部材の先端部である構成とすることができる。
【００１６】
このような構成により、位置決め部材の一対の第１係止部のそれぞれから前記第１の直径より大きい直径の円弧状に延びる壁部材を形成することで一対の第２係止部が形成されることになるので、位置決め部材において、第１の直径となるディスク状記録媒体の移動を妨げることのない前記一対の第２係止部を容易に形成することができるようになる。
【００１７】
更に、本発明に係るディスクプレイヤにおいて、前記位置決め部材は、ディスク状記録媒体の移動方向に移動可能となり、前記位置決め部材を、前記第１の直径となるディスク状記録媒体を前記セット位置に位置決めすべき位置にロックするロック機構と、前記カードの長辺より長い第２の直径となるディスク状記録媒体が挿入されたときに前記ロック機構による前記位置決め部材のロックを解除するロック解除機構とを有し、挿入される前記第２の直径となるディスク状記録媒体の外周縁が前記一対の第１係止部に当接しつつ前記位置決め部材が移動して前記第２の直径となるディスク状記録媒体を前記セット位置に位置決めするものであって、前記一対の第１係止部と前記一対の第２係止部とは、前記第２の直径より大きい直径の円弧上に位置する構成とすることができる。
【００１８】
このような構成により、位置決め部材がロック機構によりロックされている際には、前述したと同様に、短辺側から挿入されたカードは、ローラから外れる前に位置決め部材の一対の第１係止部に突き当たり、また、長辺側から挿入されたカードは、ローラから外れる前に位置決め部材の一対の第２係止部に突き当たり得る。そして、前記一対の第１係止部と前記第２係止部とが第２の直径より大きい直径の円弧上に位置するので、第２の直径となるディスク状記録媒体が挿入された際には、その第２の直径となるディスク状記録媒体の外周縁が前記一対の第２係止部に妨げられることなく一対の第１係止部に当接しつつ位置決め部材が移動して前記第２の直径となるディスク状記録媒体がセット位置に位置決めされ得る。また、第１の直径となるディスク状記録媒体が挿入された際には、前述したのと同様に、その外周縁が前記一対の第２係止部に妨げられることなく位置決め部材の一対の第１係止部に当接して当該ディスク記録媒体はセット位置に位置決めされ得る。
【００１９】
また、本発明に係るディスクプレイヤにおいて、前記一対の第２係止部のそれぞれは、前記一対の第１係止部の一方から前記円弧状に延びる壁部材の先端部となる構成とすることができる。
【００２０】
このような構成により、位置決め部材の一対の第１係止部のそれぞれから前記第２の直径より大きい直径の円弧状に延びる壁部材を形成することで一対の第２係止部が形成されることになるので、位置決め部材において、第２の直径となるディスク状記録媒体の移動を妨げることのない前記一対の第２係止部を容易に形成することができるようになる。
【発明の効果】
【００２１】
本発明に係るディスクプレイヤによれば、位置決め部材における一対の第１係止部及び一対の第２係止部のカードの形状に対する相対関係が適切に設定されることにより、短辺側から及び長辺側のいずれの方向から誤って挿入されたカードであってもローラから外れることなく前記位置決め部材の一対の第１係止部または一対の第２係止部に突き当たり得るようになるので、ローラを逆回転させることにより、前記カードを排出することができるようなる。即ち、従来のように協働する２つのゲート機構等、特別な機構を設けることなく簡易な構造にて挿入されたカードが排出できなくなるという事態を防止することができるようになる。
【発明を実施するための最良の形態】
【００２２】
以下、本発明の実施の形態について、図面を用いて説明する。
【００２３】
本発明の実施の一形態に係るディスクプレイヤは、図１及び図２に示すように構成されている。なお、図１は本発明の実施の一形態に係るディスクプレイヤの要部の構成を示す平面図であり、図２は、図１に示すディスクプレイヤにおけるターンテーブル、ローラ、位置決め部材、ロック機構及びロック解除機構の相対的な位置関係を示す配置図である。この実施の形態に係るディスクプレイヤは、例えば、車載用のナビゲーション装置やオーディオ装置に搭載され、直径８ｃｍ（第１の直径）となるディスク及び直径１２ｃｍ（第２の直径）となるディスクの２種類のディスクの再生が可能となっている。なお、以下の説明で、直径８cmとなるディスクを小径ディスクと称し、直径１２cmとなるディスクを大径ディスクと称する。
【００２４】
図１及び図２において、シャーシ１００は、前面パネル（図示略）に形成された挿入口１１０の背後に配置されている。シャーシ１００内に、ローラ１０、スピンドルモータ（図示略）にて回転されるターンテーブル１５、板状のクランプアーム２０、位置決め部材３０、ロックアーム４０（ロック機構）及びロック解除機構５０が配置されている。そして、位置決め部材３０とロックアーム４０とがクランプアーム２０に対して組み付けられている。
【００２５】
なお、図示されていないが、ローラ１０、ターンテーブル１５及びクランプアーム２０（位置決め部材３０及びロックアーム４０を含む）は、ディスクから情報を読取る光学式ピックアップユニットと共にドライブメカユニット内に納められている。また、そのドライブメカユニットは、スプリングやダンパ等の弾性部材を介してシャーシ１００に支持されており、ディスクのローディング時及びイジェクト時にシャーシ１００に固定支持の状態（ロック状態）にされ、ディスクの再生時に固定支持の状態（ロック状態）が解除されて弾性支持の状態（アンロック状態）に復帰するようになっている。
【００２６】
シャーシ１００の前方部に配置されるローラ１０は、ローラブラケット１１の両側板１１ａ、１１ｂに回転自在に支持されている。ローラブラケット１１の一方の側板１１ｂが前後動可能な駆動板１２に係合しており、駆動板１２の前後動によってローラブラケット１１が揺動し、ローラ１０が、ディスクを搬送し得る搬送位置と、ディスクの面から離れてこのディスクの回転駆動を妨げない待避位置との間で移動可能となる。シャーシ１００の前方部には、図示されていないが、ローラ１０を覆うように板状のシャーシトップが設けられており、そのシャーシトップのローラ１０との対向面に樹脂製のガイドプレートが設けられている。これにより、ディスクが回転するローラ１０とガイドプレートに挟持された状態で搬送されるようになる。
【００２７】
シャーシ１００の奥方部に配置されるクランプアーム２０は、その後端縁部が前記ドライブメカユニットの後端部に上下方向（図面の紙面に交差する方向）に揺動可能に支持されている。クランプアーム２０の前端縁のターンテーブル１５に対向する部位にクランパ（図示略）を回転自在に支持するクランパ支持部２５が形成されている。また、クランプアーム２０には、前後方向（ディスクの搬送方向）に延びる縦ガイド孔２１ａ、２１ｂ、２１ｃが形成されると共に、横方向（ディスクの搬送方向と直交する方向）に延びる横ガイド孔２２、２３が形成されている。
【００２８】
位置決め部材３０は、図３に示すように、細長形状のベース３１の両側端部にピン状の係止部３２ａ、３２ｂ（第１係止部）が立設され、各係止部３２ａ、３２ｂのそれぞれから係止壁部３３ａ、３３ｂが延設された構造となっている。各係止壁部３３ａ、３３ｂは対応する係止部３２ａ、３２ｂから拡開するように湾曲した形状となっており、その湾曲の度合は、大径ディスク（直径１２cm）の直径より僅かに大きい直径の円弧に対応したものとなっている。また、ベース３１の係止部３２ａ、３２ｂ及び係止壁部３３ａ、３３ｂが形成された面と逆側の面には係止突起部３４ａ、３４ｂが形成されると共に、スライド突起部３５（図１、図２参照）が形成されている。位置決め部材３０は、係止突起部３４ａ、３４ｂが縦ガイド孔２１ａ、２１ｂに摺動自在に嵌り込むと共にスライド突起部３５が縦ガイド孔２１ｃに摺動自在に嵌り込むように、クランプアーム２０の裏面（図１にて表れている面と逆側の面）に組み付けられている。これにより、クランプアーム２０において、位置決め部材３０が、係止突起部３４ａ、３４ｂ及びスライド突起部３５が縦スライド孔２１ａ、２１ｂ、２１ｃにてガイドされつつ前後方向（ディスクの搬送方向）に移動可能となる。なお、位置決め部材３０は、図示されていない付勢機構（スプリング等を含む）により、クランプアーム２０の前方部の所定位置（小径ディスクをセット位置に位置決めすべき位置）に常時付勢されている。
【００２９】
ロックレバー４０は、横方向に延びる板形状となり、一方の側端部に第１突起部４２が形成されると共に、所定部位に第２突起部４３が形成され、後端部に一対の係止爪４１ａ、４１ｂが形成されている。また、ロックレバー４０の第１突起部４２の近傍に横方向に延びるガイド孔４４が形成されている。ロックレバー４０は、第１突起部４２が横ガイド孔２２に摺動自在に嵌り込むと共に第２突起部４３が横ガイド孔２３に摺動自在に嵌り込み、ガイド孔４４にクランプアーム２０から突出する係止ピン２４が摺動自在に嵌り込むように、クランプアーム２０の表面（図１にて表れている面）に組み付けられている。これにより、クランプアーム２０において、ロックレバー４０が、第１突起部４２、第２突起部４３及びガイド孔４４が横ガイド孔２２、２３及び係止ピン２４にガイドされつつ左右方向（ディスクの搬送方向に直交する方向）に移動可能となる。そして、ロックレバー４０は、図示されていないスプリング等の付勢部材によって、係止爪４１ａ、４１ｂがクランプアーム２０の縦スライド孔２１ａ、２１ｂから突出する位置決め部材３０の係止突起部３４ａ、３４ｂを係止するロック位置に付勢されている。即ち、ロックレバー４０によって位置決め部材３０が小径ディスクをセット位置に位置決めすべき位置にロックされる。
【００３０】
シャーシ１００の前方部に配置されるロック解除機構５０は、一対のディスク検知レバー５１ａ、５１ｂ及びリンクスライダ５６を有している。前述したようにローラ１０を覆うように設けられたシャーシトップ（図示略）から垂下する支軸５２ａ、５２ｂによってディスク検知レバー５１ａ、５２ｂが回動自在に支持されている。各ディスク検知レバー５１ａ、５１ｂには、その前方端部から垂下するように検知ピン５３ａ、５３ｂが設けられている。各ディスク検知レバー５１ａ、５１ｂの支軸５２ａ、５２ｂから延びる検知ピン５３ａ、５３ｂの設けられた腕と逆側の腕の所定部位に引っ掛け突起５４ａ、５４ｂが設けられている。各引っ掛け突起５４ａ、５４ｂとシャーシトップとの間にスプリング（付勢部材：図示略）の両端が引っ掛けられることによって、一方のディスク検知レバー５１ａが時計方向に付勢され、他方のディスク検知レバー５１ｂが反時計方向に付勢されている。リンクスライダ５６の両端が回動自在にディスク検知レバー５１ａ、５１ｂに連結されることにより、両ディスク検知レバー５１ａ、５１ｂが同期的に回動することが可能となっている。通常の状態において、前述したように付勢される各ディスク検知レバー５１ａ、５１ｂの前方先端部に設けられた検知ピン５３ａ、５３ｂ間の距離は、小径ディスク（直径８cm）の直径より僅かに小さく設定されている。また、一方のディスク検知レバー５１ｂの支軸５２ｂから延びる検知ピン５３ｂの設けられた腕と逆側の腕の先端部には凸部５５が形成されている。反時計方向に付勢されるディスク検知レバー５１ｂがその付勢力に抗して時計方向に回動する際に、凸部５５がロックレバー４０の一方の側端部に当接するようになっている。
【００３１】
なお、図２に示すように、位置決め部材３０は、係止部３２ａと係止部３２ｂとがターンテーブル１５の中心を通る前後方向（ディスクの搬送方向）に延びる直線ＣＬに対して対称となるように配置されている。また、ロック解除機構５０における各ディスク検知レバー５１ａ、５１ｂは、検知ピン５３ａと検知ピン５３ｂとが前記直線ＣＬに対して対称となるように配置される。
【００３２】
前述したような構造のディスクプレイヤでは、図４に示すように大径ディスクＤＫ12が挿入口１１０から挿入されると、まず、その外周縁がディスク検知レバー５１ａ、５１ｂの検知ピン５３ａ、５３ｂに当接する。この状態で、大径ディスクＤＫ12が更に押し込まれると、その外周縁に当接する検知ピン５３ａ、５３ｂが押し広げられ、それに伴って前述したように付勢されているディスク検知レバー５１ａ、５１ｂがその付勢力に抗して支軸５２ａ、５２ｂを中心にして回動する。そして、大径ディスクＤＫ12がローラ１０にかかると、回転するローラ１０によって大径ディスクＤＫ12がターンテーブル１５に向けて搬送される。
【００３３】
その過程で、図５に示すように、回動するディスク検知レバー５１ｂの凸部５５がロックレバー４０の一方の側端部に当接して押す。ロックレバー４０は、その側端部から押されることにより、横方向（図５における右方向）に移動し、各係止爪４１ａ、４１ｂが位置決め部材３０の係止突起部３４ａ、３４ｂから外れる。これにより、位置決め部材３０のロックが解除される。そして、回転するローラ１０によって大径ディスクＤＫ12が更に搬送されていくと、その外周縁が、係止壁部３３ａ、３３ｂに妨げられることなくそれらに沿うようにして位置決め部材３０の２つの係止部３２ａ、３２ｂに当接し、当該大径ディスクＤＫ12は直線ＣＬに対する芯だしがなされつつ移動する。ロックが解除された位置決め部材３０は、移動する大径ディスクＤＫ12によって押され、前記付勢機構による付勢力に抗してクランプアーム２０の後端部に向けて移動する。
【００３４】
そして、図６に示すように、その中心がターンテーブル１５の中心に合致するセット位置に大径ディスクＤＫ12が達すると、位置決め部材３０の係止突起部３４ａ、３２ｂがクランプアーム２０の縦ガイド孔２１ａ、２１ｂ（図１参照）の後端に達して当該位置決め部材３０が停止する。この状態で、大径ディスクＤＫ12は、位置決め部材３０によってセット位置に位置決めされる。
【００３５】
なお、このように大径ディスクＤＫ12がセット位置に位置決めされると、クランプアーム２０による大径ディスクＤＫ12のクランプ動作（クランパとターンテーブル１５とによるディスクの挟み込み動作）と、駆動板１２によるローラ１０の待避動作が同期的になされる。これにより、大径ディスクＤＫ12からの情報の再生が可能となる。
【００３６】
一方、小径ディスク（直径８cm）ＤＫ8が挿入口１１０から挿入される場合、前述したのと同様に、その外周縁によって検知ピン５３ａ、５３ｂが押し広げられてディスク検知レバー５１ａ、５１ｂが回動するが、その回動量は少なく、ディスク検知レバー５１ａの凸部５５がロックレバー４０の一方の側端部に達しない。このため、小径ディスクＤＫ8は、図７に示すように、その外周縁がロックレバー４０によってロックされた位置決め部材３０の２つの係止部３２ａ、３２ｂに当接して芯だしがなされ、その中心がターンテーブル１５の中心に合致するセット位置に位置決めされる。なお、この場合も、小径ディスクＤＫ8がセット位置に位置決めされると、クランプアーム２０による小径ディスクＤＫ8のクランプ動作とローラ１０の待避動作が同期的になされ、小径ディスクＤＫ8からの情報の再生が可能となる。
【００３７】
前述した大径ディスクＤＫ12及び小径ディスクＤＫ8は、図６及び図７に示すように、セット位置に位置決めされた際に、それぞれのディスクの一部はその搬送方向においてローラ１０にかかった状態となっている。これにより、ローラ１０を待避位置から搬送位置に復帰させて逆回転させることにより、各ディスクをセット位置から挿入口１１０に向けて搬送するが可能となる。
【００３８】
ところで、クレジットカード、ＩＣカード、メモリカード等の矩形状のカードの大きさは、概略同じであり、その短辺の長さａが４５mm程度であり、また、その長辺の長さｂが８５．５mm程度である。このようなカードと前記大径ディスクＤＫ12及び前記小径ディスクＤＫ8との大きさの関係は、その短辺の長さａが小径ディスクＤＫ8の直径（８cm）より小さく、その長辺の長さｂが、小径ディスクＤＫ8の直径より大きく、かつ、大径ディスクＤＫ12の直径（１２cm）より小さいものとなる。
【００３９】
大径ディスクＤＫ12及び小径ディスクＤＫ8に対してこのような大きさ関係となるカードを想定して、前述したディスクプレイヤにおける位置決め部材３０の２つの係止部３２ａ、３２ｂ及びそれらから延びる係止壁部３３ａ、３３ｂのカードの形状に対する相対関係が図８及び図９に示すように決められている。
【００４０】
即ち、図８に示すように、位置決め部材３０の２つの係止部３２ａ、３２ｂ間の距離Ｌ１がカード２００の短辺の長さａ（４５mm）と同等以下に設定されている。また、図９に示すように、位置決め部材３０が小径ディスクＤＫ8をセット位置に位置決めすべき位置にロックされている状態において、２つの係止壁部３３ａ、３３ｂの先端部と、ローラ１０の回転軸の軸線ＳＬとの距離Ｌ２がカード２００の短辺の長さａ以下となり、かつ、２つの係止壁部３３ａ、３３ｂの先端部の間隔Ｌ３がカード２００の長辺の長さｂと略同じ（僅かに小さめ）に設定されている。前述したように各係止部３２ａ、３２ｂから延びる係止壁部３３ａ、３３ｂが大径ディスクＤＫ12の直径より僅かに大きい直径の円弧状となることから、各係止部３２ａ、３２ｂと各係止壁部３３ａ、３３ｂの先端部とは前記円弧上に配置されることになる。
【００４１】
このように位置決め部材３０の各係止部３２ａ、３２ｂ及び係止壁部３３ａ、３３ｂのカード２００の形状に対する相対関係が決められているディスクプレイヤでは、カード２００の長辺の長さｂ（８５．５mm）が小径ディスクＤＫ8の直径（８cm）より大きいので、図８に示すように、その短辺側から挿入されたカード２００は、ローラ１０から外れる前に小径ディスクＤＫ8をセット位置に位置決めすべき位置にロックされた位置決め部材３０の各係止部３２ａ、３２ｂに達する。そして、その係止部３２ａ、３２ｂの間隔Ｌ１がカード２００の短辺の長さａと同等以下となっているので、カード２００は、ローラ１０から外れることなく位置決め部材３０の両係止部３２ａ、３２ｂ（第１係止部）に突き当たる。
【００４２】
また、小径ディスクＤＫ8をセット位置にセットすべき位置にロックされた位置決め部材３０の係止壁部３３ａ、３３ｂの先端部とローラ１０の回転軸の軸線ＳＬとの距離Ｌ２がカード２００の短辺の長さａ以下となっているので、図９に示すように、その長辺側から挿入されたカード２００は、ローラ１０から外れる前に位置決め部材３０の各係止壁部３３ａ、３３ｂの先端部に達する。そして、各係止壁部３３ａ、３３ｂの先端部（第２係止部）の間隔Ｌ３がカード２００の長辺の長さｂと略同じ（僅かに小さめ）となっているので、カード２００は、ローラ１０から外れることなく位置決め部材３０の両係止壁部３３ａ、３３ｂの先端部（第２係止部）に突き当たる。
【００４３】
このように、カード２００が短辺側（図８参照）から及び長辺側（図９参照）のいずれの方向から誤って挿入されたとしても、そのカード２００は、ローラ１０から外れることなく、小径ディスクＤＫ8をセット位置に位置決めすべき位置にロックされた位置決め部材３０の２つの係止部３２ａ、３２ｂ（第１係止部）または２つの係止壁部３３ａ、３３ｂの先端部（第２係止部）に突き当たる。従って、そのように誤って挿入されたカード２００は、ローラ１０を逆回転させることにより、挿入口１１０から排出させることができるようになる。即ち、位置決め部材３０の各係止部３２ａ、３２ｂ及びそれから延びる係止壁部３３ａ、３３ｂのカード２００の形状に対する相対関係を図８及び図９に示すように適切に決めることで、特別な機構を別途も受けることなく、カード２００が排出することができなくなるという事態を防止することができるようになる。
【００４４】
なお、カード２００が斜めになって挿入された場合、図１０に示すように、カード２００がローラ１０から外れる前に、その一方の長辺が一方の係止部３２ａに当接すると共にその一方の短辺が他方の係止部３２ｂに当接する。従って、この場合も、ローラ１０を逆回転させることにより、カード２００を挿入口１１０から排出させることが可能となる。
【００４５】
前述した例では、位置決め部材３０の各係止部３２ａ、３２ｂから延びる係止壁部３３ａ、３３ｂの先端部が本発明における第２係止部として機能するものであったが、前記係止壁部３３ａ、３３ｂに代えてその先端部の位置に別途ピン状の係止部材を第２係止部として設けることも可能である。この場合、ピン状の２つの係止部３２ａ、３２ｂと第２係止部としてのピン状の係止部は大径ディスクＤＫ12の直径より僅かに大きい直径の円弧上に配置されることとなる。
【００４６】
また、各係止部３２ａ、３２ｂから延びる係止壁部３３ａ、３３ｂの湾曲の度合は、大径ディスクＤＫ12の直径（１２cm）より僅かに大きい直径の円弧に対応するものであったが、その直径より更に大きい円弧に対応するように設定することもできる。この場合、カード２００を長辺側から挿入すると（図９参照）、カード２００が湾曲した係止壁部３３ａ、３３ｂの先端部から係止部３２ａ、３２ｂ側に寄った部位に突き当たるようになる。即ち、そのカード２００の突き当たった部位が本発明の第２係止部として機能することになるので、それらの部位間の距離Ｌ３及びそれらの部位とローラ１０の回転軸の軸線ＳＬとの関係が図９に示すようになっていればよい。ただし、この場合、ローラ１０が小径ディスクＤＫ8をセット位置に位置決めすべき位置にロックされた位置決め部材３０に近づくこと、即ち、挿入口１１０から遠ざかることになるが、そのローラ１０の位置がディスク、特に小径ディスクＤＫ8の排出に問題なければよい。
【００４７】
なお、前述したディスクプレイヤは、大径ディスクＤＫ12（直径１２cm）及び小径ディスクＤＫ8（直径８cm）の双方の再生が可能となるものであったが、小径ディスクＤＫ8の再生専用のディスクプレイヤであっても、位置決め部材３０（前記ロックされるべき位置に固定）の各係止部３２ａ、３２ｂ及び係止壁部３３ａ、３３ｂのカード２００に対する相対関係は、図８及び図９に示すものと同様とすることができる。ただし、係止壁部３３ａ、３３ｂの湾曲の度合は、小径ディスクＤＫ8の直径（８cm）より僅かに大きい直径の円弧に対応したものとすることができる。
【産業上の利用可能性】
【００４８】
以上、説明したように、本発明に係るディスクプレイヤは、誤って挿入されたカードが排出できなくなるという事態を簡易な構造にて防止するという効果を有し、ＣＤ（Compact Disk）、ＤＶＤ（Digital Versatile Disk）等のディスク状記録媒体から情報を読み出して再生するディスクプレイヤとして有用である。
【図面の簡単な説明】
【００４９】
【図１】本発明の実施の形態に係るディスクプレイヤの要部の構成を示す平面図である。
【図２】図１に示すディスクプレイヤにおけるターンテーブル、ローラ、位置決め部材、ロック機構及びロック解除機構の相対的な位置関係を示す配置図である。
【図３】位置決め部材の詳細な構造を示す斜視図である。
【図４】大径ディスクが挿入口から挿入された状態を示す図である。
【図５】大径ディスクがローラにて搬送されている状態を示す図である。
【図６】大径ディスクがセット位置に位置決めされた状態を示す図である。
【図７】小径ディスクがセット位置に位置決めされた状態を示す図である。
【図８】小径ディスクがセット位置にセットすべき位置に位置決め部材がロックされた状態において２つの係止部間の距離とカードの短辺の長さとの関係及びローラとカードとの位置関係を示す図である。
【図９】小径ディスクがセット位置にセットすべき位置に位置決め部材がロックされた状態において２つの係止壁部の先端部とローラとの相対位置関係及それら先端部間の距離とカードの長辺の長さとの関係を示す図である。
【図１０】カードが斜めに挿入された場合の状態を示す図である。
【符号の説明】
【００５０】
１０  ローラ
１１  ローラブラケット
１１ａ、１１ｂ  側板
１２  駆動板
１５  ターンテーブル
２０  クランプアーム
２１ａ、２１ｂ、２１ｃ  縦ガイド孔
２２、２３  横ガイド孔
２４  係止ピン
２５  クランパ支持部
３０  位置決め部材
３１  ベース
３２ａ、３２ｂ  係止部（第１係止部）
３３ａ、３３ｂ  係止壁部
３４ａ、３４ｂ  係止突起部
３５  スライド突起部
４０  ロックスライダ（ロック機構）
４１ａ、４１ｂ  係止爪
４２  第１突起部
４３  第２突起部
４４  ガイド孔
５０  ロック解除機構
５１ａ、５１ｂ  ディスク検知レバー
５２ａ、５２ｂ  支軸
５３ａ、５３ｂ  検知ピン
５４ａ、５４ｂ  引っ掛け突起
５５  突部
５６  リンクスライダ
１００  シャーシ
１１０  挿入口
２００  カード
【図１】
2007080376.tif 000003
【図２】
2007080376.tif 000004
【図３】
2007080376.tif 000005
【図４】
2007080376.tif 000006
【図５】
2007080376.tif 000007
【図６】
2007080376.tif 000008
【図７】
2007080376.tif 000009
【図８】
2007080376.tif 000010
【図９】
2007080376.tif 000011
【図１０】
2007080376.tif 000012